(57)【要約】  ファン（１００）及びそれを備えた空気調和機の室内機（１０００）である。ファン（１００）は、第１インペラ（１）及び第２インペラ（２）を含み、第１インペラ（１）が複数の第１ブレード（１１）を含み、第２インペラ（２）が複数の第２ブレード（２１）を含み、基準面における各第１ブレード（１１）の正投影を第１投影とし、第１投影に２つの第１交点が設けられ、２つの第１交点の繋ぎ線を第１繋ぎ線とし、第１繋ぎ線に垂直な直線を第１垂直線とし、基準面における各第２ブレード（２１）の正投影を第２投影とし、第２投影に２つの第２交点が設けられ、２つの第２交点の繋ぎ線を第２繋ぎ線とし、第２繋ぎ線に垂直な直線を第２垂直線とし、第１垂直線及び第２垂直線の一方とＸ軸の正方向との角度が鋭角であり、第１垂直線及び第２垂直線の他方とＸ軸の正方向との角度が鈍角である。【選択図】図６
2021516305.tif 000002
【特許請求の範囲】
【請求項１】
ファンであって、第１ハブ及び前記第１ハブに間隔をあけて設けられる複数の第１ブレードを含み、第１回転軸を有する第１インペラと、
第２ハブ及び前記第２ハブに間隔をあけて設けられる複数の第２ブレードを含み、第２回転軸を有する第２インペラとを備え、
気流の流れ方向において、前記第１インペラが前記第２インペラの上流に設けられ、前記ファンから離間して設けられた１つの平面を基準面として設定し、前記基準面が前記第１回転軸又は第２回転軸に平行であり、前記基準面における前記第１回転軸又は前記第２回転軸の正投影をＹ軸とし、前記基準面に位置し前記Ｙ軸に垂直な直線をＸ軸とし、
各前記第１ブレードが前記基準面に最も近い位置まで回転したとき、前記基準面における各前記第１ブレードの正投影を第１投影とし、前記第１投影は端から端まで接続される第１外凸曲線及び第１内凹曲線を含み、前記基準面に２つの第１交点が設けられ、空気の流れ方向において、２つの前記第１交点がそれぞれ前記第１投影の上流及び下流に位置し、各前記第１交点がいずれも２つの第１接線の交点であり、同一側にある２つの前記第１接線がそれぞれ前記第１外凸曲線及び前記第１内凹曲線に接し、２つの前記第１交点を繋ぐ線を第１繋ぎ線とし、前記第１繋ぎ線に垂直な直線を第１垂直線とし、
各前記第２ブレードが前記基準面に最も近い位置まで回転したとき、前記基準面における各前記第２ブレードの正投影を第２投影とし、前記第２投影は端から端まで接続される第２外凸曲線及び第２内凹曲線を含み、前記基準面に２つの第２交点が設けられ、空気の流れ方向において、２つの前記第２交点がそれぞれ前記第２投影の上流及び下流に位置し、各前記第２交点がいずれも２つの第２接線の交点であり、同一側にある２つの前記第２接線が、それぞれ前記第２外凸曲線及び前記第２内凹曲線に接し、２つの前記第２交点を繋ぐ線を第２繋ぎ線とし、前記第２繋ぎ線に垂直な直線を第２垂直線とし、前記第１垂直線及び前記第２垂直線の一方と前記Ｘ軸の正方向との角度が鋭角であり、前記第１垂直線及び前記第２垂直線の他方と前記Ｘ軸の正方向との角度が鈍角である、
ことを特徴とするファン。
【請求項２】
前記第１回転軸と前記第２回転軸とは平行に設けられている、
ことを特徴とする請求項１に記載のファン。
【請求項３】
前記第１回転軸と前記第２回転軸との間にピッチＨがあるか、又は、前記第１回転軸と前記第２回転軸とは同一直線上に設けられている、
ことを特徴とする請求項２に記載のファン。
【請求項４】
前記第１インペラの直径はＤ１であり、前記ピッチＨと直径Ｄ１とは、Ｈ≦０．２Ｄ１を満たす、
ことを特徴とする請求項３に記載のファン。
【請求項５】
前記第１回転軸と前記第２回転軸との間に角度βを有する、
ことを特徴とする請求項１に記載のファン。
【請求項６】
前記第１回転軸と前記第２回転軸との間の角度βの値の範囲は０〜２０°である、
ことを特徴とする請求項５に記載のファン。
【請求項７】
前記第１インペラの直径と前記第２インペラの直径とは異なる、
ことを特徴とする請求項１〜６のいずれか１項に記載のファン。
【請求項８】
前記第１インペラの直径はＤ１であり、前記第２インペラの直径はＤ２であり、Ｄ２≧０．６Ｄ１である、
ことを特徴とする請求項７に記載のファン。
【請求項９】
前記第１インペラは、斜流インペラ又は軸流インペラであり、前記第２インペラは斜流インペラ又は軸流インペラである、
ことを特徴とする請求項１〜８のいずれか１項に記載のファン。
【請求項１０】
吸込口及び吹出口が設けられるハウジングと、
前記ハウジング内に設けられる室内熱交換器と、
請求項１〜９のいずれか１項に記載のファンであって、前記ハウジング内に設けられて前記吹出口に向かって送風するファン、とを含む、
ことを特徴とする空気調和機の室内機。
【請求項１１】
前記空気調和機の室内機は、床置型空気調和機の室内機であり、前記床置型空気調和機の室内機はさらにダクト取付板を備え、前記ダクト取付板が前記室内熱交換器の前側に設けられ、前記ファンが前記ダクト取付板に固定される、
ことを特徴とする請求項１０に記載の空気調和機の室内機。
【請求項１２】
前記空気調和機の室内機は、壁掛型空気調和機の室内機であり、前記吹出口が前記ハウジングのフロントパネルに設けられている、
ことを特徴とする請求項１０に記載の空気調和機の室内機。
【発明の詳細な説明】
【関連出願の相互参照】
【０００１】
本願は出願番号が２０１９１００９３４２７．３、２０１９２０１７６８４４．Ｘ、出願日が２０１９年０１月３０日である中国特許出願に基づいて提出され、該中国特許出願の優先権を主張し、その内容の全てを参照として本願に援用する。
【技術分野】
【０００２】
本願は冷却分野に関し、特にファン及びそれを備えた空気調和機の室内機に関する。
【背景技術】
【０００３】
従来技術では、空気調和機の送風機は、軸流ファン、クロスフローファン又は遠心ファンであり、ファンの数が通常１つ〜３つであり、並列に接続して動作する。
【０００４】
軸流ファン及びクロスフローファンは送風効率が高いが、送風距離が短く、遠心ファンは送風距離が長いが、送風効率が低い。複数のファンが並列に接続されると、供給される空気の循環流量は増加するが、ファンの効率を改善することはできない。
【発明の概要】
【発明が解決しようとする課題】
【０００５】
本願は、従来の技術に存在する技術的問題の少なくとも１つを解決することを意図している。
この目的のために、本願は、送風距離を増加させ、送風効率を高めるファンを提案する。
【課題を解決するための手段】
【０００６】
本願は、上記ファンを備えた空気調和機の室内機をさらに提案している。
【０００７】
本願の実施例に係るファンによれば、第１ハブ及び前記第１ハブに間隔をあけて設けられる複数の第１ブレードを含み、第１回転軸を有する第１インペラと、第２ハブ及び前記第２ハブに間隔をあけて設けられる複数の第２ブレードを含み、第２回転軸を有する第２インペラとを備え、気流の流れ方向において、前記第１インペラが前記第２インペラの上流に設けられ、前記ファンから離間して設けられた１つの平面を基準面として設定し、前記基準面が前記第１回転軸又は第２回転軸に平行であり、前記基準面における前記第１回転軸又は前記第２回転軸の正投影をＹ軸とし、前記基準面に位置し前記Ｙ軸に垂直な直線をＸ軸とし、各前記第１ブレードが前記基準面に最も近い位置まで回転したとき、前記基準面における各前記第１ブレードの正投影を第１投影とし、前記第１投影は端から端まで接続される第１外凸曲線及び第１内凹曲線を含み、前記基準面に２つの第１交点が設けられ、空気の流れ方向において、２つの前記第１交点がそれぞれ前記第１投影の上流及び下流に位置し、各前記第１交点がいずれも２つの第１接線の交点であり、同一側にある２つの前記第１接線がそれぞれ前記第１外凸曲線及び前記第１内凹曲線に接し、２つの前記第１交点を繋ぐ線を第１繋ぎ線とし、前記第１繋ぎ線に垂直な直線を第１垂直線とし、各前記第２ブレードが前記基準面に最も近い位置まで回転したとき、前記基準面における各前記第２ブレードの正投影を第２投影とし、前記第２投影は端から端まで接続される第２外凸曲線及び第２内凹曲線を含み、前記基準面に２つの第２交点が設けられ、空気の流れ方向において、２つの前記第２交点がそれぞれ前記第２投影の上流及び下流に位置し、各前記第２交点がいずれも２つの第２接線の交点であり、同一側にある２つの前記第２接線がそれぞれ前記第２外凸曲線及び前記第２内凹曲線に接し、２つの前記第２交点を繋ぐ線を第２繋ぎ線とし、前記第２繋ぎ線に垂直な直線を第２垂直線とし、前記第１垂直線及び前記第２垂直線の一方と前記Ｘ軸の正方向との角度が鋭角であり、前記第１垂直線及び前記第２垂直線の他方と前記Ｘ軸の正方向との角度が鈍角である。
【０００８】
本願の実施例に係るファンによれば、風圧を高め、送風距離を長くするとともに、送風効率を高めることができる。
【０００９】
本願のいくつかの実施例では、前記第１回転軸と前記第２回転軸とは平行に設けられている。
【００１０】
本願のいくつかの実施例では、前記第１回転軸と前記第２回転軸との間にピッチＨがあるか、又は前記第１回転軸と前記第２回転軸とは同一直線上に設けられている。
【００１１】
具体的には、前記第１インペラの直径はＤ１であり、前記ピッチＨと直径Ｄ１とは、Ｈ≦０．２Ｄ１を満たす。
【００１２】
本願のいくつかの実施例では、前記第１回転軸と前記第２回転軸との間に角度βを有する。
【００１３】
具体的には、前記第１回転軸と前記第２回転軸との間の角度βの値の範囲は０〜２０°である。
【００１４】
本願のいくつかの実施例では、前記第１インペラの直径と前記第２インペラの直径とは異なる。
【００１５】
具体的には、前記第１インペラの直径はＤ１であり、前記第２インペラの直径はＤ２であり、Ｄ２≧０．６Ｄ１である。
【００１６】
本願のいくつかの実施例では、前記第１インペラは斜流インペラ又は軸流インペラであり、前記第２インペラは斜流インペラ又は軸流インペラである。
【００１７】
本願の実施例に係る空気調和機の室内機によれば、吸込口及び吹出口が設けられるハウジングと、前記ハウジング内に設けられる室内熱交換器と、本願の上記実施例に係るファンであって、前記ハウジング内に設けられて前記吹出口に向かって送風するファンとを含む。
【００１８】
本願の実施例に係る空気調和機の室内機によれば、上記実施例のファンを設けることにより、風圧を高め、送風距離を長くするとともに、送風効率を高めることができる。第１インペラ及び第２インペラが異なる速度で動作するとき、柔らかい風又は無風感送風を実現する。
【００１９】
本願のいくつかの実施例では、前記空気調和機の室内機は床置型空気調和機の室内機であり、前記床置型空気調和機の室内機はさらにダクト取付板を備え、前記ダクト取付板が前記室内熱交換器の前側に設けられ、前記ファンが前記ダクト取付板に固定される。
【００２０】
本願のいくつかの実施例では、前記空気調和機の室内機は壁掛型であり、前記吹出口が前記ハウジングのフロントパネルに設けられる。
【００２１】
本願の追加の態様及び利点は、以下の説明において部分的に提供され、一部が以下の説明から明らかになるか、又は本願の実践から分かる。
【図面の簡単な説明】
【００２２】
本願の上記及び／又は追加の態様及び利点は、以下の図面を参照した実施例の説明から明らかになり、理解しやすくなる。
【図１】本願の実施例に係るファンの正面図であり、第１回転軸と第２回転軸とは同一直線上に設けられている。
【図２】本願の実施例に係るファンの正面図であり、第１回転軸と第２回転軸との間にピッチが設けられている。
【図３】本願の実施例に係るファンの正面図であり、第１回転軸と第２回転軸との間に角度がある。
【図４】本願の実施例に係るファンの平面図である。
【図５】本願の実施例に係るファンと基準面との位置関係図である。
【図６】本願の実施例に係るファン、基準面、第１投影及び第２投影の概略図である。
【図７】本願の実施例に係る第１投影の概略図である。
【図８】本願の実施例に係るファンの第１投影、第２投影、第１垂直線、第２垂直線とＹ軸との位置関係図である。
【図９】本願の実施例に係る壁掛型室内機の概略図である。
【図１０】本願の実施例に係る床置型空気調和機の室内機の斜視図である。
【図１１】本願の実施例に係る床置型空気調和機の室内機の分解概略図である。
【発明を実施するための形態】
【００２３】
以下、本願の実施例を詳細に説明し、前記実施例の例は、図面に示され、図面を通じて同じ又は類似した符号は、同じ又は類似した素子又は同じ又は類似した機能を有する素子を示す。以下、図面を参照しながら説明する実施例は、例示的なものであり、本願を解釈することを意図するが、本願を制限するものとして理解すべきではない。
【００２４】
本願の説明において、「中心」、「縦方向」、「横方向」、「長さ」、「幅」、「厚さ」、「上」、「下」、「前」、「後」、「左」、「右」、「垂直」、「水平」、「頂部」、「底部」、「内側」、「外側」、「時計回り」、「反時計回り」、「軸方向」、「半径方向」、「円周方向」などの用語で示される方位又は位置関係は、図面に示される方位又は位置関係に基づくものであり、本願の説明及び説明の簡略化するために過ぎず、示される装置又は要素が特定方位を有したり、特定方位で構成又は操作されたりすることを指示又は示唆するものではなく、よって、本願に対する限定としては理解されない。また、「第１」及び「第２」により限定される特徴は、少なくとも１つのこの特徴を明示的に、あるいは黙示的に有してもよい。本願の説明において、「複数」は、特に明記しない限り２つ又は２つ以上を意味する。
【００２５】
本願の説明において、明確に指定又は限定しない限り、「取り付け」、「連結」、「接続」という用語は、広義で理解すべきであり、たとえば、固定接続してもよく、取り外し可能に接続してもよく、又は一体に接続してもよく、機械的又は電気的に接続してもよく、直接接続してもよく、中間媒体を介して間接的に接続してもよく、２つの要素の内部が連通してもよい。当業者であれば、具体的な状況に応じて上記用語の本願における具体的な意味を理解し得る。
【００２６】
以下、図１〜図８を参照しながら本願の実施例に係るファン１００を説明するが、ファン１００は空気調和機の室内機の送風機であってもよく、空気調和機の室内機は天井吊型、窓型、壁掛型又は床置型などであってもよい。
【００２７】
図１〜図８に示すように、本願の実施例に係るファン１００は、第１インペラ１及び第２インペラ２を含む。第１インペラ１は第１ハブ１０及び第１ハブ１０に間隔をあけて設けられる複数の第１ブレード１１を含み、第１インペラ１が第１回転軸１７を有する。第２インペラ２は第２ハブ２０及び第２ハブ２０に間隔をあけて設けられる複数の第２ブレード２１を含み、気流の流れ方向において、第１インペラ１が第２インペラ２の上流に設けられ、第２インペラ２が第２回転軸２７を有し、つまり、ファン１００が動作するとき、空気が第１インペラ１を通過して第２インペラ２を通過し、第１回転軸１７が第１インペラ１の回転中心軸であり、第２回転軸２７が第２インペラ２の回転中心軸である。必要に応じて、第１インペラ１は斜流インペラ又は軸流インペラであり、第２インペラ２は斜流インペラ又は軸流インペラである。
【００２８】
ファン１００から離間して設けられた１つの平面を基準面３として設定し、基準面３が第１回転軸１７又は第２回転軸２７に平行であり、基準面３における第１回転軸１７又は第２回転軸２７の正投影をＹ軸とし、基準面３に位置してＹ軸に垂直な直線をＸ軸とする。具体的に言えば、基準面３とファン１００とは間隔をあけて設けられ、基準面３が少なくとも第１回転軸１７及び第２回転軸２７の一方に平行であり、図５及び図６における矢印Aの指す方向がファン１００の正投影方向であり、Ｙ軸は基準面３における第１回転軸１７又は第２回転軸２７の正投影であり、Ｘ軸とＹ軸とはしている。本出願のいくつかの例では、基準面３上の基準面３に平行な第１回転軸１７又は第２回転軸２７の正投影をＹ軸とし、例えば基準面３が第１回転軸１７に平行であり、基準面３における第１回転軸１７の正投影をＹ軸とする。図１から図６に示す具体的な例では、第１回転軸１７と第２回転軸２７とは同一直線上にあり、矢印Ｌ１によって示される線は第１回転軸１７又は第２回転軸２７である。
【００２９】
各第１ブレード１１が基準面３に最も近い位置まで回転したとき、基準面３における各第１ブレード１１の正投影を第１投影１２とし、第１投影１２は端から端まで接続される第１外凸曲線１２０及び第１内凹曲線１２１を含み、基準面３に２つの第１交点が設けられ、空気の流れ方向において、２つの第１交点がそれぞれ第１投影１２の上流及び下流に位置し、各第１交点が２つの第１接線１４の交点であり、同一側にある２つの第１接線１４がそれぞれ第１外凸曲線１２０及び第１内凹曲線１２１に接し、２つの第１交点を繋ぐ線を第１繋ぎ線１５とし、第１繋ぎ線１５に垂直な直線を第１垂直線１６とする。具体的に言えば、各第１ブレード１１が第１投影１２を有し、空気の流れ方向において、第１投影１２が前縁（気流が流れ込む）及び後縁（気流が流れ出す）を有し、図７及び図８に示すように、第１投影１２に前縁に隣接して配置される第１交点Ｃ（上流にある）及び後縁に隣接して配置される第１交点Ｄ（下流にある）がある。同一側にある２つの第１接線１４の一方が第１外凸曲線１２０に接して、他方が第１内凹曲線１２１に接し、第１交点Ｃと第２交点Ｄとを繋ぐ線を第１繋ぎ線１５とし、第１垂直線１６が第１繋ぎ線１５と直交する。なお、第１交点Ｃを形成する一方の第１接線１４は第１外凸曲線１２０の、前縁に近接する側にある任意点の接線であってもよく、第１交点Ｃを形成する他方の第１接線１４は第１内凹曲線１２１の、前縁に近接する側にある任意点の接線であってもよい。
【００３０】
第１交点Ｄを形成する一方の第１接線１４は第１外凸曲線１２０の後縁に近接する側にある任意点の接線であってもよく、第１交点Ｄを形成する他方の第１接線１４は第１内凹曲線１２１の後縁に近接する側にある任意点の接線であってもよい。
【００３１】
なお、第１ブレード１１にある１つの点を第１基準点とし、第１基準点が基準面３に最も近くなるように第１ブレード１１が回転するとき、第１ブレード１１が基準面３に最も近いと判定し、第１基準点と基準面３との間の距離を判定するとき、異なる位置では、同じ第１基準点と基準面３との半径方向の距離を比較することが理解できる。例えば、第１基準点と第１回転軸１７との半径方向の距離が第１ブレード１１の残りの位置と第１回転軸１７との半径方向の距離よりも大きいと設定し、第１ブレード１１が基準面３に最も近い位置まで回転したか否かを判定するように、第１基準点が基準面３に最も近い位置まで回転したかを判定する。
【００３２】
基準面３に最も近い位置まで回転したとき、基準面３上の各第２ブレード２１の正投影を第２投影２２とし、第２投影２２は端から端まで接続される第２外凸曲線２２０及び第２内凹曲線２２１を含み、基準面３に２つの第２交点が設けられ、空気の流れ方向において、２つの第２交点がそれぞれ第２投影２２の上流及び下流に位置し、各第２交点が２つの第２接線２４の交点であり、同一側にある２つの第２接線２４がそれぞれ第２外凸曲線２２０及び第２内凹曲線２２１に接し、２つの第２交点を繋ぐ線を第２繋ぎ線２５とし、第２繋ぎ線２５に垂直な直線を第２垂直線２６とする。具体的に言えば、各第２ブレード２１が第２投影２２を有し、空気の流れ方向において、第２投影２２が前縁（気流が流れ込む）及び後縁（気流が流れ出す）を有し、図８に示すように、第２投影２２に前縁に隣接して配置される第２交点Ｅ（上流にある）及び後縁に隣接して配置される第２交点Ｆ（下流にある）がある。同一側にある２つの第２接線２４の一方が第２外凸曲線２２０に接して、他方が第２内凹曲線２２１に接し、第２交点Ｅと第２交点Ｆとを繋ぐ線を第２繋ぎ線２５とし、第２垂直線２６が第２繋ぎ線２５と直交する。なお、第２交点Ｅを形成する一方の第２接線２４は第２外凸曲線２２０における前縁に隣接する側にある任意点の接線であってもよく、第２交点Ｅを形成する他方の第２接線２４は第２内凹曲線２２１における前縁に近接する側にある任意点の接線であってもよい。
【００３３】
第２交点Ｆを形成する一方の第２接線２４は第２外凸曲線２２０の、後縁に近接する側にある任意点の接線であってもよく、第２交点Ｆを形成する他方の第２接線２４は第２内凹曲線２２１の、後縁に近接する側にある任意点の接線であってもよい。
【００３４】
なお、第２ブレード２１にある１つの点を第２基準点とし、第２基準点が基準面３に最も近くなるように第２ブレード２１が回転するとき、第２ブレード２１が基準面３に最も近い位置まで回転したと判定し、第２基準点と基準面３との間の距離を判定するとき、異なる位置では、同じ第２基準点と基準面３との半径方向の距離を比較することが理解できる。例えば、第２基準点と第２回転軸２７との半径方向の距離が第２ブレード２１の残りの位置と第２回転軸２７との半径方向の距離よりも大きいと設定し、第２ブレード２１が基準面３に最も近い位置まで回転したか否かを判定するように、第２基準点が基準面３に最も近い位置まで回転したかを判定する。
【００３５】
第１垂直線１６及び第２垂直線２６の一方とＸ軸の正方向との角度が鋭角であり、第１垂直線１６及び第２垂直線２６の他方とＸ軸の正方向との角度が鈍角であり、なお、正の角度が垂直線とＸ軸の矢印の指す方向との間の角度を指す。具体的に言えば、図８に示すように、第１垂直線１６とＸ軸との正の角度がβであり、第２垂直線２６とＸ軸との正の角度がαであり、正の角度β及び正の角度αの一方が鋭角であって他方が鈍角である。図８に示す具体的な例では、正の角度βは鈍角であり、正の角度αは鋭角である。即ち、第１垂直線１６と第２垂直線２６とは異なる象限に位置し、例えば、第１垂直線１６は第２、第３、第４象限に位置し、第２垂直線２６は第１、第３、第４象限に位置する。換言すれば、空気の流れ方向において、第１垂直線１４と第２垂直線２６とのＹ軸に対する傾斜方向は反対である。要するに、第１ブレード１１の回転方向と第２ブレード２１の回転方向とは反対であり、なお、本願の説明において、ブレードの回転方向はＹ軸に対するブレードの傾斜方向である。複数の第１ブレード１１の回転方向は同じであり、複数の第２ブレード２１の回転方向は同じであると理解できる。
【００３６】
具体的に言えば、ファン１００が回転するとき、第１ブレード１１の第１垂直線１６及び第２ブレード２１の第２垂直線２６の一方とＸ軸の正方向との角度が鋭角であり、第１垂直線１６及び第２垂直線２６の他方とＸ軸の正方向との角度が鈍角であるため、第１ブレード１１のブレード出口での気流の円周方向接線速度と第２ブレード２１のブレード出口での気流の円周方向接線速度とは反対であって相殺され、ほぼ純粋な「軸方向」のまっすぐな空気の流れが得られ、つまり、空気の流れのほとんど乃至すべてが軸方向に吹き出され、送風距離をさらに長くする。
【００３７】
第１ブレード１１のブレード出口での気流円周方向接線速度と第２ブレード２１のブレード出口での気流円周方向接線速度とは反対であるため、第２インペラ２のブレード吸込口の気流及び第２ブレード２１の相対速度を増加したとも言え、送風効率をさらに高めた。
【００３８】
ファン１００は第１インペラ１及び第２インペラ２を気流の流れ方向に沿って前後に配置することにより、一定の流量下で風圧を上げることができ、送風距離を長くする。
【００３９】
本願の実施例に係るファン１００は、風圧を上げ、送風距離を長くするとともに、送風効率を高めることができる。
【００４０】
本願のいくつかの実施例では、第１インペラ１はモータの駆動によって回転し、第２インペラ２は他方のモータの駆動によって回転し、それにより第１インペラ１の回転速度及び回転方向を独立に制御してもよく、第２インペラ２の回転速度及び回転方向を独立に制御してもよい。
【００４１】
本願の他の実施例では、第１インペラ１及び第２インペラ２の一方にモータが設けられ、他方にモータが設けられておらず、モータにより一方のインペラを回転させるとき、気流により他方のインペラを回転させる。第１インペラ１及び第２インペラ２の駆動方式はこれに限定されず、第１インペラ１及び第２インペラ２の動作状態を、実際の必要に応じて設定してもよく、例えば第１インペラ１と第２インペラ２とを同じ又は異なる回転速度で回転させるように制御するか、又は第１インペラ１の回転方向と第２インペラ２の回転方向とを同じ又は反対にするように制御することもできる。
【００４２】
本願のいくつかの実施例では、第１回転軸１７と第２回転軸２７とは平行に設けられている。それにより、第１ブレード１１から吹き出される風と第２ブレード２１から吹き出される風とは平行であり、送風距離を長くする。さらに、図２に示すように、第１回転軸１７と第２回転軸２７との間にピッチＨがある。それにより、ファン１００を取り付けるとき、第１回転軸１７と第２回転軸２７とを合わせる必要がなく、第１インペラ１及び第２インペラ２を取り付けやすいとともに、第２インペラ２を通過した後の気流の角度を調整しやすい。さらに、第１インペラ１の直径はＤ１であり、ピッチＨと直径Ｄ１とは、Ｈ≦０．２Ｄ１を満たす。したがって、第１回転軸１７と第２回転軸２７との間の過剰なピッチにより、２つのインペラのブレード出口の気流の円周方向接線速度の相殺効果に影響を与えることを避け、送風距離及び送風効率を確保した。送風距離を確保するように、第１回転軸１７及び第２回転軸２７も（図１に示すように）同一直線上に設けられてもよいことも理解できる。
【００４３】
本願のいくつかの実施例では、図３に示すように、第１回転軸１７と第２回転軸２７との間に角度βを有する。それにより、第２インペラ２を通過した後の気流の角度を調整することができる。具体的には、第１回転軸１７と第２回転軸２７との間の角度βの範囲は０〜２０°であり、例えば５°、１０°又は１５°であってもよい。したがって、２つの回転軸の間の過剰な角度により、２つのインペラのブレード出口の気流の円周方向接線速度の相殺効果に影響を与えることを避け、送風距離及び送風効率を確保した。
【００４４】
本願のいくつかの実施例では、第１インペラ１の直径と第２インペラ２の直径とは異なる。実際の必要に応じて、第１インペラ１及び/又は第２インペラ２を起動してファン１００の吹出風量を調整し、ファン１００の風量調整範囲を広める。本願の他の実施例では、第１インペラ１の直径を第２インペラ２と等しくしてもよく、それにより部品の種類を減少し、コストを削減することができる。
【００４５】
第１インペラ１の直径はＤ１であり、第２インペラ２の直径はＤ２であり、出願人が多くの実験をしてから以下の観点を提出し、Ｄ２≦０．６Ｄ１の場合、第２インペラ２を回転させるモータのパワーが第１インペラ１を回転させるモータのパワーよりも小さく、ガスに力をかけて静圧を高めるという観点から、第２ブレード２１表面のガス圧力が第１ブレード１１表面のガス圧力よりも大きく、インペラの直径が小さい（面積が小さい）場合、インペラがガス圧力の変化で振動しやすく、ノイズがひどくなる。したがって、本願のいくつかの具体的な実施例では、第１インペラ１と第２インペラ２との直径が以下の関係Ｄ２≧０．６Ｄ１を満たし、それにより、第２インペラ２がガス圧力の変化により振動することを避け、振動によるノイズを避け、ユーザーの快適性を向上させる。
【００４６】
本願の実施例に係る空気調和機の室内機１０００は、ハウジング２００、室内熱交換器３００及びファン１００を備え、ハウジング２００に吸込口４及び吹出口５が設けられる。室内熱交換器３００はハウジング２００内に設けられる。ファン１００は、本願の上記実施例に係るファン１００であり、ファン１００がハウジング２００内に設けられて吹出口５へ送風する。具体的には、空気調和機の室内機１０００は天井吊型、窓型、壁掛型又は床置型であってもよい。
【００４７】
第１インペラ１のブレードの傾斜方向と第２インペラ２のブレードの傾斜方向とは反対であるため、第１インペラ１及び第２インペラ２は空気の流れ方向において互いにディフューザーであり、気流の接線方向の回転速度を低下（第１インペラ１及び第２インペラ２が異なる回転速度の場合）又は消去（第１インペラ１及び第２インペラ２が同じ回転速度の場合）（即ち動圧から静圧への変換）し、二重反転ファンの空気への作業効率を高め、２つのインペラを通過する気流も吹出口５の方向に向かって流れ、遠距離送風効果を達成する。なお、単一のクロスフローファン、軸流ファン又は斜流ファンと比べて、二重反転ファンにおける第１インペラ１及び第２インペラ２が異なる速度又は同じ速度で反対方向に回転しても、二重反転ファンがより遠距離の送風を実現することができる。
【００４８】
次に、第１インペラ１及び第２インペラ２は異なる回転速度であり、冷風の送風範囲を広めることができる。一方のインペラがより高速で回転し、他方のインペラがより低速で回転する場合、より高速のインペラが主導的な役割を果たし、単段軸流又は斜流ファンのブレード気流出口角度が回転軸の方向から外れることで、軸流インペラ又は斜流インペラ自体が気体分散効果を持ち、したがって、吹出口５から吹き出した冷風の角度範囲が大きくなり、広範囲の送風を実現した。また、軸流インペラ又は斜流インペラ自体が気体分散効果を持つため、必要に応じて第１インペラ１及び第２インペラ２の回転速度を調整し、異なる速度で回転させることができ、それにより、柔らかい風又は無風感送風を実現し、冷風が吹出口５から吹き出された後、ユーザーに直接当たってユーザーに不快感をもたらすことを避ける。したがって、本願の実施例に係る空気調和機の室内機１０００は微孔付きのウインドデフレクターを使用せずに、柔らかい風又は無風感送風を実現することができ、風量損失が少ない。なお、広範囲送風及び無風感送風を実現するために、一方のインペラのモータが動作せずに、他方のインペラが吹出口５側へ順方向に送風する。また、広範囲送風及び無風感送風を実現するために、一方のインペラがハウジング２００内側へ逆方向に送風し、他方のインペラが依然として順方向に送風する。ここで、「順方向送風」はインペラの作用下で気流を吹出口５から吹き出し、「逆方向送風」は気流をハウジング２００の内側へ吹き込む。
【００４９】
本願の実施例に係る空気調和機の室内機１０００は、上記実施例のファン１００を設けることにより、風圧を上げ、送風距離を長くするとともに、送風効率を高めることができる。第１インペラ１及び第２インペラ２は異なる速度で動作するとき、柔らかい風又は無風感送風を実現することができる。
【００５０】
本願のいくつかの実施例では、吹出口５は複数あり、１つの吹出口５の後側に本願の上記実施例によるファン１００が設けられ、もう１つの吹出口５の後側に軸流ファン、クロスフローファン又は遠心ファンが設けられている。
【００５１】
本願のいくつかの実施例では、図９に示すように、空気調和機の室内機１０００は壁掛型であり、吹出口５がハウジング２００のフロントパネルに設けられている。図９の例では、ハウジング２００の上壁に吸込口４が設けられている。
【００５２】
本願のいくつかの実施例では、図１０〜図１１に示すように、空気調和機の室内機１０００は床置型空気調和機の室内機１０００であり、床置型空気調和機の室内機１０００がさらにダクト取付板４００を備え、ダクト取付板４００が室内熱交換器３００の前側に設けられ、ファン１００がダクト取付板４００に固定され、ファン１００を固定しやすい。具体的には、ハウジング２００は背板部材６及びパネル部材７を含み、背板部材６の前側が開放され、パネル部材７が背板部材６の前側に設けられ、背板部材６に吸込口４が設けられ、パネル部材７に吹出口５が設けられる。
【００５３】
図１１に示される具体的な例では、床置型空気調和機の室内機１０００はさらに吹出枠部材５００を備え、吹出枠部材５００がダクト取付板４００とハウジング２００との間に設けられ、吹出枠部材５００が吹出方向を調整可能であり、例えば、吹出枠部材５００に吹出方向を調整可能なルーバーが設けられている。
【００５４】
本願の実施例に係る空気調和機の室内機の室内熱交換器及び電気制御装置などの他の構成及び操作は、当業者に知られており、ここで詳細な説明を省略する。
【００５５】
本明細書の説明においては、参照用語「一実施例」、「いくつかの実施例」、「例示的な実施例」、「例」、「具体的な例」、又は「いくつかの例」等の説明は、該実施例又は例を参照しながら説明した特定の性質、構造、材料又は特徴が、本願の少なくとも１つの実施例又は例に含まれることを意味している。本明細書において、上記用語の模式的な表現は同じ実施例又は例に、必ずしも言及しているというわけではない。また、説明した特定の性質、構造、材料又は特徴は任意の１つ又は複数の実施例又は例において、適切な方法で組み合わせてもよい。
【００５６】
以上、本願の実施例を例示して説明したが、当業者であれば、本願の原理及び趣旨から逸脱せずに、これらの実施例に対して様々な変更、修正、置換や変形を行うことができ、本出願の範囲が、特許請求の範囲およびその同等物によって定義されると理解されたい。
【符号の説明】
【００５７】
１０００  空気調和機の室内機
１００  ファン
２００  ハウジング
４  吸込口
５  吹出口
６  背板部材
７  パネル部材
３００  室内熱交換器
４００  ダクト取付板
５００  吹出枠部材
１  第１インペラ
１０  第１ハブ
１１  第１ブレード
１２  第１投影
１２０  第１外凸曲線
１２１  第１内凹曲線
１４  第１接線
１５  第１繋ぎ線
１６  第１垂直線
１７  第１回転軸
２  第２インペラ
２０  第２ハブ
２１  第２ブレード
２２  第２投影
２２０  第２外凸曲線
２２１  第２内凹曲線
２４  第２接線
２５  第２繋ぎ線
２６  第２垂直線
２７  第２回転軸
３  基準面
【図１】
2021516305.tif 000003
【図２】
2021516305.tif 000004
【図３】
2021516305.tif 000005
【図４】
2021516305.tif 000006
【図５】
2021516305.tif 000007
【図６】
2021516305.tif 000008
【図７】
2021516305.tif 000009
【図８】
2021516305.tif 000010
【図９】
2021516305.tif 000011
【図１０】
2021516305.tif 000012
【図１１】
2021516305.tif 000013
【国際調査報告】
2021516305.tif 000014
2021516305.tif 000015
2021516305.tif 000016
2021516305.tif 000017